(57)【特許請求の範囲】
【請求項１】
売場毎に設置されるとともに、各売場で販売されている全ての商品の商品コード，単価等の商品情報をその商品が販売されている売場の売場コードと共にプリセットしたマスタ商品ファイルを有する端末管理装置と相互通信自在に接続され、その売場で販売する商品の売上情報を登録処理する商品販売登録装置において、
当該装置が設置されている売場で販売されている各商品の商品コード，単価等の商品情報をプリセットした売場別商品ファイルと、販売商品の商品コードを入力する商品コード入力手段と、この入力手段により商品コードが入力された販売商品が当該装置の設置売場でのみ販売されている商品か他の売場でも販売されている商品かを判断する売場判断手段と、この売場判断手段により当該装置の設置売場でのみ販売されている商品であると判断すると前記売場別商品ファイルを検索して前記入力手段による入力商品コードを含む商品情報を読出し、この商品情報中の単価で前記販売商品の売上情報を登録処理する売場内登録処理手段と、前記売場判断手段により他の売場でも販売されている商品であると判断するとその商品を販売している売場の売場コードを強制入力させる売場コード入力強制手段と、この入力強制手段により売場コードが入力されるとその売場コードと前記入力手段による入力商品コードとで前記端末管理装置に商品情報問合せを行い応答された商品情報中の単価で前記販売商品の売上情報を登録処理する売場入力強制登録処理手段とを具備したことを特徴とする商品販売登録装置。
【請求項２】
各売場毎にそれぞれ設置されその売場で販売する商品の売上情報を登録処理する複数台の商品販売登録装置と、各商品販売登録装置を集中管理する端末管理装置とを相互通信自在に接続するとともに、前記各商品販売登録装置に、それぞれその装置が設置されている売場で販売されている各商品の商品コード，単価等の商品情報をプリセットした売場別商品ファイルを設け、前記端末管理装置に、各売場で販売されている全ての商品の商品コード，単価等の商品情報をその商品が販売されている売場の売場コードと共にプリセットしたマスタ商品ファイルを設けてなる商品販売情報管理システムにおいて、
前記各商品販売登録装置は、販売商品の商品コードを入力する商品コード入力手段と、この入力手段により商品コードが入力された販売商品が当該装置の設置売場でのみ販売されている商品か他の売場でも販売されている商品かを判断する売場判断手段と、この売場判断手段により当該装置の設置売場でのみ販売されている商品であると判断すると当該装置の売場別商品ファイルを検索して前記入力手段による入力商品コードを含む商品情報を読出し、この商品情報中の単価で前記販売商品の売上情報を登録処理する売場内登録処理手段と、前記売場判断手段により他の売場でも販売されている商品であると判断するとその商品を販売している売場の売場コードを強制入力させる売場コード入力強制手段と、この入力強制手段により売場コードが入力されるとその売場コードと前記入力手段による入力商品コードとで前記端末管理装置に商品情報問合せを行い応答された商品情報中の単価で前記販売商品の売上情報を登録処理する売場入力強制登録処理手段とを具備し、
前記端末管理装置は、前記各商品販売登録装置から売場コードと商品コードとによる商品情報の問合わせを受けると前記マスタ商品ファイルを検索して売場コードと商品コードの両方が一致する商品情報を読み出し、この商品情報を問合せ元の商品販売登録装置に送信する商品情報応答手段を具備したことを特徴とする商品販売情報管理システム。
【発明の詳細な説明】
【０００１】
【発明の属する技術分野】
本発明は、ＰＯＳ（Point Of Sales：販売時点情報管理）ターミナル等の商品販売登録装置及び複数台の商品販売登録装置を端末管理装置により集中管理するＰＯＳシステム等の商品販売情報管理システムに関する。
【０００２】
【従来の技術】
多くの商品を取り扱う百貨店や大規模なスーパーマーケット等では、同一商品でも売場によって単価が異なる場合がある。例えば乾電池は、日用品売場のみならず家電売場や玩具売場でも販売されているが、電池を駆動源とする商品とともに販売されるケースが多い玩具売場で乾電池を値下げ販売したり、日用品売場でタイムサービス商品として乾電池を一定時間だけ値下げ販売するようなことは、販売戦略上まれに行われることである。上記のように複数の売場で販売されておりかつ売場によって単価が異なることのある商品を、売場コードの入力が必須なので売場入力必須商品と称する。
【０００３】
ところで、一般に百貨店やスーパーマーケットでは、店舗全体の商品販売に関する情報管理を一元的に行うために、ＰＯＳシステムと称される商品販売情報管理システムが導入されている。このＰＯＳシステムは、各売場毎にそれぞれ設置されその売場で販売する商品の売上情報を登録処理する複数台の商品販売登録装置としてのＰＯＳターミナルと、各ＰＯＳターミナルを集中管理する端末管理装置としてのＰＯＳサーバとをＬＡＮ（Local Area Network）等の通信回線で相互通信自在に接続する。そして、各ＰＯＳターミナルに、それぞれそのターミナルが設置されている売場で販売されている各商品の商品コード，単価等の商品情報をプリセットした売場別商品ファイルを設ける一方、ＰＯＳサーバに、各売場で販売されている全ての商品の商品コード，単価等の商品情報をその商品が販売されている売場の売場コードと共にプリセットしたマスタ商品ファイルを設けたものである。
【０００４】
かかる構成おいて、各ＰＯＳターミナルは、バーコードスキャナなどの商品コード入力手段により販売商品の商品コードが入力されると、自己が有する売場別商品ファイルを検索して入力商品コードを含む商品情報を読出し、この商品情報中の単価で販売商品の売上情報を登録処理するものとなっている。
【０００５】
また、販売商品の商品コードが入力される前にその商品が販売されている売場の売場コードが入力された場合には、その売場コードと商品コードとを含む商品情報問合せ伝文を作成し、この問合せ伝文を通信回線を通じてＰＯＳサーバに送信して販売商品の商品情報を問合わせる。すると、ＰＯＳサーバにおいてマスタ商品ファイルが検索される。そして、問合せのあった売場コードと商品コードとが一致する商品情報が読出されると、この商品情報が問合せ元のＰＯＳターミナルに返信されるので、ＰＯＳターミナルは、ＰＯＳサーバから受信した商品情報中の単価で販売商品の売上情報を登録処理するものとなっている。
【０００６】
そこで、この種のＰＯＳシステムを構築した従来の百貨店やスーパーマーケット等では、各売場の店員はそれぞれ客買上商品が売場入力必須商品なのか否かを判断し、売場入力必須商品の場合にはその商品が販売された売場を確認する。そして、その売場を特定する売場コードをＰＯＳターミナルに入力した後、商品コードを入力して、当該客買上商品の販売登録を行なっていた。
こうすることにより、客買上商品は客が購入した売場での単価で販売登録されることになる。ところが、店員が売場コードを入力しなかった場合には、ＰＯＳターミナル内部の売場別商品ファイルに設定されている単価で販売登録されるので、客が購入した売場での単価と販売登録された単価とが異なるおそれがあった。
【０００７】
【発明が解決しようとする課題】
このように、売場入力必須商品を取り扱う店で従来のＰＯＳシステムを導入した場合には、客買上商品が売場入力必須商品なのか否かを各売場の店員が常に意識していなければならないという煩わしさがあった。また、先に売場コードを入力してから商品コードを入力しないとＰＯＳサーバへの問合せが行われなかったので、先に売場コードを入力せずに商品コードを入力したために客が購入した売場とは異なる単価で販売登録されるおそれもあった。
【０００８】
本発明はこのような事情に基づいてなされたもので、その目的とするところは、客買上商品が複数の売場で販売されておりかつ売場によって単価が異なることのある商品，いわゆる売場入力必須商品であるか否かを店員が常に意識していなくても売場入力必須商品の登録ミスを防止でき、店員の負担軽減及び信頼性の向上を図り得る商品販売登録装置及びこの装置を用いた商品販売情報管理システムを提供しようとするものである。
【０００９】
【課題を解決するための手段】
本願請求項１記載の発明は、売場毎に設置されるとともに、各売場で販売されている全ての商品の商品コード，単価等の商品情報をその商品が販売されている売場の売場コードと共にプリセットしたマスタ商品ファイルを有する端末管理装置と相互通信自在に接続され、その売場で販売する商品の売上情報を登録処理する商品販売登録装置において、当該装置が設置されている売場で販売されている各商品の商品コード，単価等の商品情報をプリセットした売場別商品ファイルと、販売商品の商品コードを入力する商品コード入力手段と、この入力手段により商品コードが入力された販売商品が当該装置の設置売場でのみ販売されている商品か他の売場でも販売されている商品かを判断する売場判断手段と、この売場判断手段により当該装置の設置売場でのみ販売されている商品であると判断すると売場別商品ファイルを検索して入力手段による入力商品コードを含む商品情報を読出し、この商品情報中の単価で販売商品の売上情報を登録処理する売場内登録処理手段と、売場判断手段により他の売場でも販売されている商品であると判断するとその商品を販売している売場の売場コードを強制入力させる売場コード入力強制手段と、この入力強制手段により売場コードが入力されるとその売場コードと入力手段による入力商品コードとで端末管理装置に商品情報問合せを行い応答された商品情報中の単価で前記販売商品の売上情報を登録処理する売場入力強制登録処理手段とを備えたものである。
【００１０】
本願請求項２記載の発明は、各売場毎にそれぞれ設置されその売場で販売する商品の売上情報を登録処理する複数台の商品販売登録装置と、各商品販売登録装置を集中管理する端末管理装置とを相互通信自在に接続するとともに、各商品販売登録装置に、それぞれその装置が設置されている売場で販売されている各商品の商品コード，単価等の商品情報をプリセットした売場別商品ファイルを設け、端末管理装置に、各売場で販売されている全ての商品の商品コード，単価等の商品情報をその商品が販売されている売場の売場コードと共にプリセットしたマスタ商品ファイルを設けてなる商品販売情報管理システムにおいて、各商品販売登録装置に、販売商品の商品コードを入力する商品コード入力手段と、この入力手段により商品コードが入力された販売商品が当該装置の設置売場でのみ販売されている商品か他の売場でも販売されている商品かを判断する売場判断手段と、この売場判断手段により当該装置の設置売場でのみ販売されている商品であると判断すると当該装置の売場別商品ファイルを検索して入力手段による入力商品コードを含む商品情報を読出し、この商品情報中の単価で販売商品の売上情報を登録処理する売場内登録処理手段と、売場判断手段により他の売場でも販売されている商品であると判断するとその商品を販売している売場の売場コードを強制入力させる売場コード入力強制手段と、この入力強制手段により売場コードが入力されるとその売場コードと入力手段による入力商品コードとで端末管理装置に商品情報問合せを行い応答された商品情報中の単価で販売商品の売上情報を登録処理する売場入力強制登録処理手段とを設ける。また、端末管理装置に、各商品販売登録装置から売場コードと商品コードとによる商品情報の問合わせを受けるとマスタ商品ファイルを検索して売場コードと商品コードの両方が一致する商品情報を読み出し、この商品情報を問合せ元の商品販売登録装置に送信する商品情報応答手段を設けたものである。
【００１１】
【発明の実施の形態】
以下、本発明の一実施の形態を図面を用いて説明する。
なお、この実施の形態では、本発明を図１に示すＰＯＳシステムに適用した場合について述べる。
【００１２】
図１に示すＰＯＳシステムは、各売場毎にそれぞれ設置されその売場で販売する商品の売上情報を登録処理する複数台の商品販売登録装置としてのＰＯＳターミナル１Ａ，１Ｂ，…，１Ｎと、各ＰＯＳターミナル１Ａ〜１Ｎを集中管理する端末管理装置としてのＰＯＳサーバ２とを、ＬＡＮ等の第１の通信回線３により相互通信自在に接続することにより構築している。また、ＰＯＳサーバ２は、ＷＡＮ（Wide Area Network）等の第２の通信回線６を介してホスト装置と接続されている。
【００１３】
そしてＰＯＳサーバ２に、図２（ａ）に示すように、各売場で販売されている全ての商品の商品コード，品名，第１単価，第２単価，ステータス等の商品情報をその商品が販売されている売場の売場コードと共にプリセットしたマスタ商品ファイル４を設ける一方、各ＰＯＳターミナル１Ａ〜１Ｎに、図２（ｂ）に示すように、それぞれそのターミナルが設置されている売場で販売されている各商品の商品コード，品名，第１単価，ステータス等の商品情報をプリセットした売場別商品ファイル５Ａ〜５Ｎを設けている。
【００１４】
なお、商品情報中の第１単価は通常販売時の単価であり、第２単価はタイムセールスなどの特売時の単価である。またステータスは、対応する商品コードで識別される商品が複数の売場で販売されておりかつ売場によって単価が異なることのある商品いわゆる売場入力必須商品か否か、及び予め設定された時間になると第２単価で販売される商品，いわゆるタイムセールス商品か否かを識別する情報である。因みに、本実施の形態では、非売場入力必須商品でかつ非タイムセールス商品の場合はステータスを０とし、売場入力必須商品でかつ非タイムセールス商品の場合はステータスを１とし、非売場入力必須商品でかつタイムセールス商品の場合はステータスを２とし、売場入力必須商品でかつタイムセールス商品の場合はステータスを３とする。
【００１５】
図３は前記ＰＯＳサーバ２の要部構成を示すブロック図である。このＰＯＳサーバ２は、制御部本体としてＣＰＵ（Central Processing Unit）３１を搭載している。また、読出し専用の記憶部としてＲＯＭ（Read Only Memory）３２を搭載するとともに、読み書き自在な記憶部としてＲＡＭ（Random Access Memory）３３を搭載している。さらに、現在の日付及び時刻を計時する時計部３４、前記第２の通信回線６を接続しホスト装置と相互通信を行うホストインタフェース３５、前記第１の通信回線３を接続し各ＰＯＳターミナル１Ａ〜１Ｎと無相互通信を行う通信インタフェース３６、ＨＤＤ（Hard Disc Drive）装置３７及びこのＨＤＤ装置３７に対するデータの読出し，書込みを制御するＨＤＤコントローラ３８などを搭載している。そして、前記ＣＰＵ３１と、ＲＯＭ３２，ＲＡＭ３３，時計部３４，ホストインタフェース３５，通信インタフェース３６及びＨＤＤコントローラ３８とを、アドレスバス，データバス等のバスライン３９で接続している。
【００１６】
かかる構成のＰＯＳサーバ２において、前記ＲＡＭ３３には、マスタ商品ファイル４の他、特に図４に示すエリア構成のターミナル管理テーブル４１と、タイムセールス管理テーブル４２とを形成している。
前記ターミナル管理テーブル４１は、各ＰＯＳターミナル１Ａ〜１Ｎにそれぞれ割り当てられているターミナル番号に対応して、そのターミナルが設置されている売場の売場コードを設定したものである。
前記タイムセールス管理テーブル４２は、タイムセールス対象商品の商品コードに対応してその商品がタイムセールスされる時間帯を予め設定したものである。なお、マスタ商品ファイル４及び各管理テーブル４１，４２は、ホスト装置からのＤＬＬ処理によって予め作成されている。
【００１７】
図５は各ＰＯＳターミナル１Ａ〜１Ｎの要部構成を示すブロック図であって、各ＰＯＳターミナル１Ａ〜１Ｎは同一構成である。すなわち、各ＰＯＳターミナル１Ａ〜１Ｎは、制御部本体としてのＣＰＵ５１、読出し専用の記憶部としてのＲＯＭ５２、読み書き自在な記憶部としてのＲＡＭ５３、現在の日付及び時刻を計時する時計部５４及び前記第１の通信回線３を接続しＰＯＳサーバ２と相互通信を行う通信インタフェース５５を搭載している。
また、「登録」，「点検」，「精算」などの業務モードを選択するモードスイッチ５６の信号入力及び図示しないドロワを自動開放させるドロワ開放装置５７への信号出力を行うＩ／Ｏポート５８、キーボード５９からキー信号を取込むキーボードコントローラ６０、オペレータ用の正面表示器６１及び客用表示器６２に表示データを送出する表示器コントローラ６３、レシート・ジャーナル印字用のプリンタ６４に印字データを送出するプリンタコントローラ６５、バーコード等を光学的に読取るスキャナ６６から読取りコード信号を取込むスキャナコントローラ６７などを搭載している。そして、前記ＣＰＵ５１と、ＲＯＭ５２，ＲＡＭ５３，時計部５４，通信インタフェース５５，Ｉ／Ｏポート５８及び各入出力機器のコントローラ６０，６３，６５，６７とを、アドレスバス，データバス等のバスライン６８で接続している。
【００１８】
かかる構成の各ＰＯＳターミナル１Ａ〜１Ｎにおいて、前記ＲＡＭ５３には、売場別商品ファイル５Ａ〜５Ｎの他、それぞれ自ターミナルが設置されている売場の売場コードがセットされる売場エリア６９を形成している。
【００１９】
しかして、前記ＰＯＳサーバ２は、システム立上げ処理として、マスタ商品ファイル４を参照して売場別商品ファイル５Ａ〜５Ｎを作成し、第１の通信回線３を介して各ＰＯＳターミナル１Ａ〜１Ｎにダウンロードする。このとき、ターミナル管理テーブル４１にＰＯＳターミナル別に設定された売場コードも併せてダウンロードする。これにより、各ＰＯＳターミナル１Ａ〜１ＮのＲＡＭ５３に売場別商品ファイル５Ａ〜５Ｎがセットされるとともに、売場エリア６９に売場コードがセットされて、システムが立ち上がる。
【００２０】
こうして、システムが立ち上がると、各ＰＯＳターミナル１Ａ〜１Ｎは、モードスイッチ５６で「登録」モードを選択することにより、図６の流れ図に示す単品登録処理を実行可能となる。
すなわちＣＰＵ３１は、モードスイッチ５６により「登録」モードが選択されている状態で、ＳＴ（ステップ）１として商品コード入力手段としてのキーボード５９またはスキャナ６６により販売商品の商品コードが入力されると、ＳＴ２としてその入力された商品コードを検索キーとして自己のＲＡＭ５３にセットされた売場別商品ファイル５Ａ〜５Ｎを検索する。その結果、ＳＴ３として売場別商品ファイル５Ａ〜５Ｎから検索キーと一致する商品コードを検出したならば、ＳＴ４としてこの商品コードを含むレコードの商品情報中のステータスから当該販売商品が売場入力必須商品であるか否かを判断する（売場判断手段）。
【００２１】
ここで、上記ステータスが０または２，つまり売上入力必須商品でない場合には、ＳＴ５として同ステータスから当該販売商品がタイムセールス商品か否かを判断する。そして、上記ステータスが０，つまり売上入力必須商品でもタイムセールス商品でもない場合には、ＳＴ６として入力商品コードを含むレコード中の商品情報を読出し、この商品情報中の第１単価で販売商品の売上情報を登録処理する（売場内登録処理手段）。
【００２２】
これに対し、ＳＴ５にてステータスが２，つまり売上入力必須商品ではないがタイムセールス商品である場合、及びＳＴ３にて入力商品コードで売場別商品ファイル５Ａ〜５Ｎを検索したが、商品コードの一致するレコードを検出できなかった場合には、ＳＴ７としてＲＡＭ５３の売場エリア６９にセットされている売場コードと入力商品コードとを含む商品情報問合せ伝文を作成し、この伝文を通信インタフェース５５から第１の通信回線３を介してＰＯＳサーバ２に送信して、商品情報の問合せを行う。その結果、ＳＴ８としてＰＯＳサーバ２から商品情報の応答伝文を受信したならば、ＳＴ９としてのその応答伝文中の商品情報の単価で販売商品の売上情報を登録処理する。
なお、売場別商品ファイル５Ａ〜５Ｎには存在しないが、マスタ商品ファイル４に該当するレコードが存在する商品としては、システム立上げ後に売場に導入され、ホスト装置によってマスタ商品ファイル４にのみ追加された新製品の商品等が考えられる。
【００２３】
ＳＴ４にてステータスが１または３、つまり売上入力必須商品の場合には、ＳＴ１０として正面表示器６１に、売場コードの入力を強制する画面、例えば「売場コードを入力して下さい」等のメッセージと各売場コードの一覧を表示した画面を表示させる。そして、ＳＴ１１として売場コードが入力されるのを待機する（売場コード入力強制手段）。
【００２４】
この状態で、正面表示器６１に表示された売場コードの一覧の中からキーボード５９のキー操作によりいずれかの売場コードが選択入力されるか、スキャナ６６によりバーコード化された売場コードが読取り入力されると、ＳＴ１２としてその入力された売場コードと入力商品コードとを含む商品情報問合せ伝文を作成し、この伝文を通信インタフェース５５から第１の通信回線３を介してＰＯＳサーバ２に送信して、商品情報の問合せを行う。その結果、ＳＴ１３としてＰＯＳサーバ２から商品情報の応答伝文を受信したならば、ＳＴ１４としてのその応答伝文中の商品情報の単価で販売商品の売上情報を登録処理する（売場入力強制登録処理手段）。
【００２５】
一方、各ＰＯＳターミナル１Ａ〜１Ｎから売場コードと商品コードとを含む商品情報問合せ伝文を受信したＰＯＳサーバ２のＣＰＵ３１は、図７に示す処理を実行するものとなっている。すなわち、先ず、ＳＴ２１としてその受信した問合せ伝文中の売場コードと商品コードとを検索キーとしてマスタ商品ファイル４を検索する。そして、ＳＴ２２としてマスタ商品ファイル４から検索キーと一致する売場コードと商品コードとを含むレコードを検出できなかったならば、ＳＴ２３として商品情報無しの応答伝文を作成し、通信インタフェース３６から第１の通信回線３を介して問合わせ元のＰＯＳターミナル１Ａ〜５Ａに送信する。
【００２６】
これに対し、マスタ商品ファイル４を検索した結果、検索キーと一致する売場コードと商品コードとを含むレコードを検出できた場合には、ＳＴ２４としてそのレコードのステータスから当該商品がタイムセールス商品か否かを判断する。そして、ステータスが２または３の場合にはタイムセールス商品なので、ＳＴ３５としてタイムセールス管理テーブル４２を参照して当該商品がタイムセールス期間中か否かを判断する。
【００２７】
ここで、当該商品の商品コードに対応して設定されている時間帯に時計部３４で計時されている現時刻が入る場合には、タイムセールス期間中なので、ＳＴ２６として当該レコード中の商品情報のうち第１単価を除いた商品情報，つまりは第２単価を含む商品情報の応答伝文を作成し、通信インタフェース３６から第１の通信回線３を介して問合わせ元のＰＯＳターミナル１Ａ〜５Ａに送信する（商品情報応答手段）。
【００２８】
一方、ＳＴ２４にてステータスが０または１，つまりタイムセールス商品でない場合、及びＳＴ２５にて当該商品の商品コードに対応して設定されている時間帯に時計部３４で計時されている現時刻が入らない，つまりタイムセールス期間中でない場合には、ＳＴ２７として当該レコード中の商品情報のうち第２単価を除いた商品情報，つまりは第１単価を含む商品情報の応答伝文を作成し、通信インタフェース３６から第１の通信回線３を介して問合わせ元のＰＯＳターミナル１Ａ〜５Ａに送信する（商品情報応答手段）。
【００２９】
このように、本実施の形態のＰＯＳシステムにおいては、各売場にそれぞれ設置される複数台のＰＯＳターミナル１Ａ〜１Ｎに、その売場で販売されている各商品の商品コード，単価等の商品情報をプリセットした売場別商品ファイル５Ａ〜５Ｎを設けるとともに、各ＰＯＳターミナル１Ａ〜１Ｎを集中管理するＰＯＳサーバ２に、各売場で販売されている全ての商品の商品コード，単価等の商品情報をその商品が販売されている売場の売場コードと共にプリセットしたマスタ商品ファイル４を設けている。また、マスタ商品ファイル４及び各売場別商品ファイル５Ａ〜５Ｎにプリセットされる商品情報に、当該商品が売場入力必須商品か否かを識別するステータスを設けている。
【００３０】
そして、各ＰＯＳターミナル１Ａ〜１Ｎは、キーボード５９またはスキャナ６６の商品コード入力手段により客買上商品の商品コードが入力されると、その商品コードを検索キーとして自己が有する売場別商品ファイル５Ａ〜５Ｎを検索し、該当商品コードを含む商品情報中のステータスを調べる。そして、このステータスから当該商品が売場入力必須商品であると判断した場合には、正面表示器６１に売場コードの入力を強制する画面を表示させるものとなっている。
【００３１】
したがって、オペレータは客買上商品の商品コードを入力した後、正面表示器６１に売場コードの入力を強制する画面が表示されたならば、客買上商品の売場を確認し、該当する売場コードを入力すればよい。
【００３２】
売場コードを入力することにより、ＰＯＳターミナル１Ａ〜１Ｎにおいては、その入力された売場コードと客買上商品の商品コードとで商品情報の問合せ伝文が作成され、ＰＯＳサーバ２に送信される。これにより、ＰＯＳサーバ２においては、マスタ商品ファイル４が検索されて売場コードと商品コードとが一致する商品情報が検出されると、この商品情報が問合わせ元のＰＯＳターミナル１Ａ〜１Ｎに応答送信される。これにより、ＰＯＳターミナル１Ａ〜１Ｎにおいては、ＰＯＳサーバ２から応答された商品情報中の単価で客買上商品の販売情報が売上処理される。
【００３３】
このように、本実施の形態によれば、複数の売場で販売されておりかつ売場によって単価が異なることのある商品，いわゆる売場入力必須商品を取り扱う場合でも、ＰＯＳターミナル１Ａ〜１Ｎを操作する店員は、正面表示器６１に売場コードの入力を強制する画面が表示されたときのみその商品の売場コードを入力すればよいので、客買上商品が売場入力必須商品か否かを意識する必要がなくなり、店員の負担を軽減できる。また、売場入力必須商品の場合は必ずその商品が販売されていた売場の売場コードを入力するようになるので、客が購入した売場で示されていた当該商品の価格とは異なる単価で販売登録されるおそれはない。よって、店の信頼性を向上できる。
【００３４】
なお、前記一実施の形態において、従来と同様に、商品コードの入力前に売場コードが入力された場合には、その商品コードと売場コードとを含む商品情報問合わせ伝文を作成しＰＯＳサーバ２に送信して客買上商品の商品情報を問合せる機能を付加してもよい。こうすることにより、予め客買上商品が売場入力必須商品と分かっている場合に先に売場コードを入力することで売場コード入力強制画面の表示を省略することができる。
【００３５】
【発明の効果】
以上詳述したように本願請求項１記載の発明によれば、客買上商品が売場入力必須商品であるか否かを店員が常に意識していなくても売場入力必須商品の売場コード入力もれを無くすことができ、店員の負担を軽減できる商品販売登録装置を提供できる。
また、本願請求項２記載の発明によれば、客買上商品が売場入力必須商品であるか否かを店員が常に意識していなくても売場入力必須商品を誤った単価で登録してしまうのを防ぐことができ、信頼性の向上を図り得る商品販売登録処理システムを提供できる。
【図面の簡単な説明】
【図１】  本発明の一実施の形態であるＰＯＳシステムの全体図。
【図２】  同実施の形態におけるマスタ商品ファイルと売場別商品ファイルの各レコードフォーマットを示す図。
【図３】  同実施の形態におけるＰＯＳサーバの要部構成を示すブロック図。
【図４】  同ＰＯＳサーバのＲＡＭに形成する主要なテーブルメモリの構成図。
【図５】  同実施の形態におけるＰＯＳターミナルの要部構成を示すブロック図。
【図６】  同ＰＯＳターミナルＣＰＵが実行する単品登録処理の要部を示す流れ図。
【図７】  同ＰＯＳサーバのＣＰＵが実行する商品情報問合せ伝文受信処理の要部を示す流れ図。
【符号の説明】
１Ａ〜１Ｎ…ＰＯＳターミナル（商品販売登録装置）
２…ＰＯＳサーバ（端末管理装置）
３…第１の通信回線
４…マスタ商品ファイル
５Ａ〜５Ｎ…売場別商品ファイル
【図１】
0003961137.tif 000002
【図２】
0003961137.tif 000003
【図３】
0003961137.tif 000004
【図４】
0003961137.tif 000005
【図５】
0003961137.tif 000006
【図６】
0003961137.tif 000007
【図７】
0003961137.tif 000008